【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
心肺機能蘇生（ＣＰＲ）胸部圧迫の状態と質とのうち少なくとも一つを検出する機能を有する自動型外部除細動器（ＡＥＤ）装置であって、
（ｉ）未処理の経胸壁インピーダンスデータのストリームと（ｉｉ）コモンモード電流データのストリームとのうち少なくとも一つを、一組のＡＥＤ電極により、取得するように構成されたフロントエンド回路と、
分析回路であって、
（ａ）第１と第２の処理アルゴリズムにより、（ｉ）前記未処理の経胸壁インピーダンスデータのストリームと（ｉｉ）前記コモンモード電流データのストリームとのうち少なくとも一つを処理して、相関するＣＰＲ胸部圧迫アーティファクトを求め、ここで前記第１の処理アルゴリズムは時間的ピーク検出アルゴリズムを含み、検出された圧迫イベント候補の少なくとも一つのストリームを取得し、また前記第２の処理アルゴリズムは周波数分析アルゴリズムを含み、検出された圧迫イベント候補の少なくとも一つのストリーム中の誤検出圧迫イベントを識別し、
（ｂ）検出された圧迫イベント候補の少なくとも一つのストリームから、識別された誤検出圧迫イベントを除去する、分析回路と、
識別された誤判定イベントがない、検出された圧迫イベント候補の少なくとも一つのストリームに応答して決定されたＣＰＲ胸部圧迫の状態および質のうち少なくとも一つの表示を出力するように構成された出力装置とを含む、装置。
【請求項２】
前記フロントエンド回路はさらに、（ｉ）前記未処理の経胸壁インピーダンスデータのストリームと、（ｉｉ）前記コモンモード電流データのストリームとを両方とも取得するように構成され、
前記分析回路はさらに、（ａ）（ｉ）前記未処理の経胸壁インピーダンスデータのストリームと（ｉｉ）前記コモンモード電流データのストリームとを両方とも処理して、検出された圧迫イベント候補の第１と第２のストリームをそれぞれ取得し、検出された圧迫イベント候補の第１と第２のストリーム中の誤検出圧迫イベントを識別し、（ｂ）検出された圧迫イベント候補の第１と第２のストリームから、識別された誤検出圧迫イベントを除去し、（ｃ）識別された誤検出の圧迫イベントがない、検出された圧迫イベント候補の第１のストリームを、識別された誤検出の圧迫イベントがない、検出された圧迫イベント候補の第２のストリームと比較して、前記第１と第２のストリームの間で、検出された圧迫イベント候補の最適化されたストリームを識別するように構成され、
前記出力装置はさらに、誤検出の圧迫イベントがない、検出された圧迫イベント候補の最適化されたストリームに応答して決定される表示を出力する、
請求項１に記載の装置。
【請求項３】
前記分析回路は、（ｉ）前記第１と第２のストリームに基準を適用し、（ｉｉ）適用された基準に基づいて前記第１と第２のストリームのうちの一つを選択して、最適化されたストリームを識別することにより、前記第１と第２のストリームの間で検出された圧迫イベント候補の最適化されたストリームを識別する、
請求項２に記載の装置。
【請求項４】
前記基準は、予測されたＣＰＲレート期間と同様の決定された自己相関強度を含む、
請求項３に記載の装置。
【請求項５】
前記分析回路はさらに、心電計（ＥＣＧ）ショック分析回路を有し、前記ＥＣＧショック分析回路は、（ｉ）ＣＰＲ関連信号アーティファクトの存在下で、一組のＡＥＤ電極により取得されるＥＣＧ信号に応答してショック可能ＥＣＧイベントを判定し、（ｉｉ）（ａ）識別された誤判定圧迫イベントがない、検出された圧迫イベント候補の少なくとも一つのストリームと（ｂ）ＣＰＲ胸部圧迫の状態と質の少なくとも一つの表示とのうち一つ以上に応じて、ショック決定パラメータを動的に調整する、
請求項３に記載の装置。
【請求項６】
検出された圧迫イベント候補の最適化されたストリームは、ＣＰＲプロトコル標準レートの外にあるＣＰＲ胸部圧迫レートを示す、
請求項３に記載の装置。
【請求項７】
前記状態の表示は、ＣＰＲ胸部圧迫が実施されていることの表示を含み、ＣＰＲ胸部圧迫の質の表示は、ＣＰＲ胸部圧迫のレートの表示を含む、
請求項３に記載の装置。
【請求項８】
前記時間的ピーク検出アルゴリズムは、（ｉ）未処理の経胸壁インピーダンスデータのストリームと、（ｉｉ）コモンモード電流データのストリームとのうち少なくとも一つにおいて、ＣＰＲ胸部圧迫により生じるアーティファクトピークを取り上げることにより、ＣＰＲ胸部圧迫によるＣＰＲ胸部圧迫アーティファクトを検出及びカウントし、ＣＰＲ胸部圧迫の近似的深さは、（ｉ）未処理の経胸壁インピーダンスデータのストリームと、（ｉｉ）コモンモード電流データのストリームとのうち少なくとも一つにおいて、アーティファクトピークの大きさに反映され、ＣＰＲ胸部圧迫の近似的深さは、適応的閾値を設定することにより決定され、前記周波数分析アルゴリズムは、（ｉ）未処理の経胸壁インピーダンスデータのストリームと、（ｉｉ）コモンモード電流データのストリームとのうち少なくとも一つにフーリエ変換を適用し、周波数領域においてＣＰＲ胸部圧迫のレートに対応する基本周波数の存在を探す、
請求項３に記載の装置。
【請求項９】
（ｉ）検出された圧迫イベント候補の少なくとも一つのストリームと、（ｉｉ）識別された誤検出圧迫イベントがない、検出された圧迫イベント候補の少なくとも一つのストリームとのうち一つ以上を記憶するように構成された記憶装置と、
記憶された、（ｉ）検出された圧迫イベント候補の少なくとも一つのストリームと、（ｉｉ）識別された誤検出圧迫イベントがない、検出された圧迫イベント候補の少なくとも一つのストリームとのうち一つ以上を、その記憶された、（ｉ）検出された圧迫イベント候補の少なくとも一つのストリームと、（ｉｉ）識別された誤検出圧迫イベントがない、検出された圧迫イベント候補の少なくとも一つのストリームとのうち一つ以上の事後分析のために外部コンピュータに送信するように動作可能なデータ出力ポートとをさらに有する、
請求項１に記載の装置。
【請求項１０】
前記出力装置はさらに、（ｉ）ＣＰＲ胸部圧迫の後の期間において、前記表示または最適化されたストリームを用いて、音声的及び視覚的出力のうち少なくとも一つを出力し、（ｉｉ）前記表示に応じて、ＣＰＲ及びＡＥＤ装置ガイダンス指示のうち少なくとも一つを、音声的及び視覚的出力のうち少なくとも一つにより発行するように構成される、
請求項１に記載の装置。
【請求項１１】
自動型外部除細動器（ＡＥＤ）装置により心肺機能蘇生（ＣＰＲ）胸部圧迫の状態と質のうち少なくとも一つを検出する方法であって、
（ｉ）未処理の経胸壁インピーダンスデータのストリームと（ｉｉ）コモンモード電流データのストリームとのうち少なくとも一つを、フロントエンド回路と一組のＡＥＤ電極とにより、取得するステップと、
分析回路により、（ａ）第１と第２の処理アルゴリズムにより、（ｉ）前記未処理の経胸壁インピーダンスデータのストリームと（ｉｉ）前記コモンモード電流データのストリームとのうち少なくとも一つを処理して、相関するＣＰＲ胸部圧迫アーティファクトを求め、ここで前記第１の処理アルゴリズムは時間的ピーク検出アルゴリズムを含み、検出された圧迫イベント候補の少なくとも一つのストリームを取得し、また前記第２の処理アルゴリズムは周波数分析アルゴリズムを含み、検出された圧迫イベント候補の少なくとも一つのストリーム中の誤検出圧迫イベントを識別するステップと、
分析回路により、検出された圧迫イベント候補の少なくとも一つのストリームから、識別された誤検出圧迫イベントを除去するステップと、
ユーザ出力装置により、識別された誤判定イベントがない、検出された圧迫イベント候補の少なくとも一つのストリームに応答して決定されたＣＰＲ胸部圧迫の状態および質のうち少なくとも一つの指標を出力するステップとを含む、方法。
【請求項１２】
前記状態の表示は、ＣＰＲ胸部圧迫が実施されていることの表示を含み、ＣＰＲ胸部圧迫の質の表示は、ＣＰＲ胸部圧迫のレートの表示を含む、
請求項１１に記載の方法。
【請求項１３】
前記時間的ピーク検出アルゴリズムは、（ｉ）未処理の経胸壁インピーダンスデータのストリームと、（ｉｉ）コモンモード電流データのストリームとのうち少なくとも一つにおいて、ＣＰＲ胸部圧迫により生じるアーティファクトピークを取り上げることにより、ＣＰＲ胸部圧迫によるＣＰＲ胸部圧迫アーティファクトを検出及びカウントし、
請求項１１に記載の方法。
【請求項１４】
ＣＰＲ胸部圧迫の近似的深さは、（ｉ）未処理の経胸壁インピーダンスデータのストリームと、（ｉｉ）コモンモード電流データのストリームとのうち少なくとも一つにおいて、アーティファクトピークの大きさに反映され、
ＣＰＲ胸部圧迫の近似的深さは、適応的閾値を設定することにより決定される、
請求項１３に記載の方法。
【請求項１５】
前記周波数分析アルゴリズムは、（ｉ）未処理の経胸壁インピーダンスデータのストリームと、（ｉｉ）コモンモード電流データのストリームとのうち少なくとも一つにフーリエ変換を適用し、周波数領域においてＣＰＲ胸部圧迫のレートに対応する基本周波数の存在を探す、
請求項１１に記載の方法。